(57)【要約】【課題】カラオケ用リモコン装置で選曲を行う際に、「歌本」のページを適当にめくると言う直感的で、親和性が高い操作方法をカラオケ用リモコン装置で可能とすることで、歌いたい楽曲の絞込みを支援する機能を搭載したカラオケ用リモコン装置を提供すること。また、楽曲の一部試聴を気軽に、安全に行える機能を有するカラオケ用リモコン装置を提供すること。【解決手段】本カラオケ用リモコン装置のタッチパネルで、本の“めくり”に近い操作を入力と認識して各種の処理を行い、該当するデータをスムーズに表示するカラオケ用リモコン装置。また、操作に従い搭載している指向性スピーカや骨伝導スピーカにより、近傍の一定範囲内や、カラオケ用リモコン装置に接触している人だけが楽曲の歌い出しなどの音声データの試聴が出来るようにするカラオケ用リモコン装置。【選択図】図２
0003157751.tif 000002
【実用新案登録請求の範囲】
【請求項１】
タッチパネル画面上において指を接触させ滑らせる操作を入力と認識して処理を行う手段、「歌本」と同形式の電子目次本データ（映像データ）を格納する手段、及び該当するデータを表示する手段を備え、「歌本」での“めくり”操作を通信カラオケ機のカラオケ用リモコン装置上で実現することを特徴とするカラオケ用リモコン装置。
【請求項２】
楽曲の歌い出しなどの電子目次本データ（音声データ）を本カラオケ用リモコン機に格納する手段と、指向性スピーカや骨伝導方式による音声出力手段を備え、近傍の一定範囲内や、骨伝導方式にて音声データを試聴が出来ることを特徴とする請求項１記載のカラオケ用リモコン装置。
【考案の詳細な説明】
【技術分野】
【０００１】
本考案は、通信カラオケ機の楽曲予約で使用するカラオケ用リモコン装置に、従来の「歌本」のイメージ情報の表示機能や選曲操作機能に加え、親和性の高い“めくり”操作による楽曲検索方法と、音声による試聴を可能とする手段を備えたカラオケ用リモコン装置に関する。
【背景技術】
【０００２】
従来の通信カラオケ機のカラオケ用リモコン装置（例えば、特許文献１参照）では、利用者の操作入力に応じ、リクエスト番号を受け付けて送信したり、通信カラオケ機の動作を制御する信号を送出している。通信カラオケ機の側では、リクエスト番号を受け付けて、演奏を行う。
【０００３】
また従来のカラオケ用リモコン装置の画面に表示される電子目次本には、楽曲ごとに楽曲名や歌手名、およびリクエスト番号に加え、歌い出しのフレーズなどが掲載されている。利用者は電子目次本を表示し、楽曲や歌手名のインデックスから絞り込んだり、前後にページをめくるボタンやスクロールバーを操作し、希望する楽曲に絞り込んで行くのである。
【０００４】
ただし、ようやく希望に沿いそうな曲が見つけられたとしても、メロディーなどがはっきりとは思い出せない場合がある。その場合は電子目次本に記載された歌い出しのフレーズ（歌詞）を参考に記憶を辿り一か八かでリクエストを行うか、諦めて他の楽曲を探すことになる。
【先行技術文献】
【特許文献】
【０００５】
【特許文献１】特開２００５−３００９３３号公報
【考案の概要】
【考案が解決しようとする課題】
【０００６】
ところで、上記した従来のカラオケ用リモコン装置においては、楽曲の検索の最初の手順で、歌いたい曲名、または歌手名の一部をある程度入力せねばならず、『久し振りにカラオケで歌う人』や『歌が決まっていない人』などで、曲名や歌手名がすぐに思いつかない場合には、楽曲検索に必要な情報の入力に手間取り、楽曲の予約が容易に進まない。冊子の『歌本』であれば、ページをパラパラと適当に開き、開いたところから楽曲を探し始められたりも出来たことを考えると、使い勝手としては良好と言えない面がある。
【０００７】
そこで本考案では、カラオケ用リモコン装置で選曲を行う際に、『「歌本」のページをパラパラと適当にめくる』と言う、直感的で親和性が高いと思われる方法によって電子目次本での楽曲の絞込みを支援する機能を搭載したカラオケ用リモコン装置を提供することを目的とする。
【０００８】
また、楽曲の絞り込み中にカラオケ用リモコン装置の電子目次本に表示される「曲名、歌手名」等の文字情報だけではどんな曲だったかを思い出せず、楽曲の予約まで至れないケースがあるのは上記した通りである。このケースでは楽曲の絞込みを行っている途中に、歌い出し等の楽曲の一部を試聴することが出来れば、楽曲の予約までスムーズに至れることがあると考える。特にカラオケの利用頻度があまり高くない人などには、試聴の要望は大きいと考えられる。
【０００９】
しかし通常の“開放型のスピーカ”で音声を発して試聴をすることは、他の人の歌唱や談笑の邪魔となるため、“開放型のスピーカ”では試聴は気軽には出来ない。その為、通常の“開放型のスピーカ”を具備していたとしても、楽曲の予約に至れる可能性はさして上がらないと考える。一方、イヤホンやヘッドホンなどの“閉鎖型のスピーカ”を使用しての試聴は、周囲に影響を与えないで済むと言う点はクリアするが、衛生面で好まれ難く、また保守面でも煩わしいという別の問題が生じる。そこで選曲中に、楽曲の一部試聴を気軽に、安全に行える機能を有するカラオケ用リモコン装置を提供することも、目的とする。
【課題を解決するための手段】
【００１０】
本考案を解決するための装置の構成として、従来の通信カラオケ機のカラオケ用リモコン装置の機能に加え、タッチパネル式の入出力手段を有し、また指向性スピーカや骨伝導方式による音声出力手段、通信カラオケ機との高速な接続手段（有線・無線式）を搭載していることを特徴とした、例えばタブレット型コンピュータに類似した装置とする。
【００１１】
本カラオケ用リモコン装置において、“めくり”操作を実現するため「歌本」と同形式の電子目次本データ（映像データ）という大き目なデータを格納する手段、タッチパネル上で本の“めくり”に近い操作を入力と認識して各種の内部処理を行う手段、及び該当するデータをスムーズに表示する手段を実現する。
【００１２】
また、楽曲の歌い出しなどの電子目次本データ（音声データ）を本カラオケ用リモコン機に格納し、操作に従い搭載している指向性スピーカ近傍の一定範囲内や、骨伝導方式にて楽曲の歌い出しなどを試聴する手段を実現する。
【００１３】
なお、新譜を含む電子目次本データ（映像データ、音声データ）は通信カラオケ機のホストサーバーなどにて作成し、各通信カラオケ機に配信する方式とする。カラオケ用リモコン装置は、通常は無線または有線回線にて通信カラオケ機に接続し、自身の内部に格納している電子目次本データよりも新しいデータが通信カラオケ機に存在するかを定期的にチェックするなどし、新しいデータが存在する場合には該当データをカラオケ用リモコン装置にダウンロードし、データの格納・展開をすることで新譜を含めた最新の電子目次本データ（映像データ、音声データ）の取得が出来ることを実現する。
【考案の効果】
【００１４】
直感的で親和性の高い“めくり”の操作を実現することで、違和感少なくカラオケ用リモコン機が操作出来るようになる。このため、『久し振りにカラオケで歌う人』や『歌が決まっていない人』であっても、「何となく」「気軽に」曲探しに着手が出来る。
【００１５】
また、指向性スピーカや骨伝導方式の音声出力装置を使用することで、他の人の歌唱や談笑に影響を与えずに試聴することが可能となる。そのため、特に『久し振りにカラオケを利用する人』や『曲名から楽曲が思い出せない人』にとっては、非常に使い勝手が良くなる。しかも操作者のデリケートな部分には接触しない方式であるため、衛生面における問題も解決が出来、また内蔵式とすることで保守面での簡便さも両立することが出来る。
【考案を実施するための形態】
【実施例】
【００１６】
本考案を実施するためには、通信カラオケ機と本カラオケ用リモコン装置が必要である。本カラオケ用リモコン装置の実施形態と、操作の一例について図を用いて説明する。図１は本カラオケ用リモコン装置の構成図。図２は図１の表示画面２で電子目次本を表示した場合の例と、操作の例を示した図。図３は指向性スピーカを利用して試聴する模式図。図４は骨伝導スピーカを利用して試聴する模式図。
【００１７】
図１において、１は本カラオケ用リモコン装置である。タッチパネル式の入力手段を備えた表示画面２、通信カラオケ機との接続手段３、指向性スピーカによる音声出力手段４や骨伝導方式による音声出力手段５、これら装置を統括処理する手段６などを有している。
【００１８】
図２は電子目次本画面の一例である。従来の電子目次本の操作方法に加え、タッチパネル式の入力手段２に表示された電子目次本の画面上で一定方向に指を滑らせる“ページめくり操作”を行うことで、電子目次本のページを1ページずつめくることが出来る。また試聴ボタン７にタッチすることで、指向性スピーカによる音声出力手段４や骨伝導方式スピーカによる音声出力手段５により、歌い出しなどの音声の試聴が出来る。
【００１９】
指向性スピーカは通常のスピーカに比べ、図３の如く極めて狭い特定の範囲に音声を送出することが出来る。そのため指向性スピーカをカラオケ用リモコン装置に搭載すれば、無駄に周囲に音声を響かせることなく試聴が出来るのである。
【００２０】
骨伝導スピーカは通常のスピーカと異なり、空気の振動で音声を送出しない。そのため骨伝導スピーカをカラオケ用リモコン装置に搭載すれば、図４の如く装置への接触者にのみ音声を聞かせることが出来るのである。
【図面の簡単な説明】
【００２１】
【図１】カラオケ用リモコン装置の構成図
【図２】電子目次本画面の図
【図３】指向性スピーカの模式図
【図４】骨伝導性スピーカの模式図
【符号の説明】
【００２２】
１  本カラオケ用リモコン装置
２  タッチパネル式の入力手段を備えた表示画面
３  通信カラオケ機との接続手段
４  指向性スピーカによる音声出力手段
５  骨伝導方式による音声出力手段
６  装置の統括処理する手段
７  試聴ボタン
【図１】
0003157751.tif 000003
【図２】
0003157751.tif 000004
【図３】
0003157751.tif 000005
【図４】
0003157751.tif 000006
【手続補正書】
【提出日】平成21年12月15日(2009.12.15)
【手続補正１】
【補正対象書類名】実用新案登録請求の範囲
【補正対象項目名】全文
【補正方法】変更
【補正の内容】
【実用新案登録請求の範囲】
【請求項１】
表示されたカラオケ目次本画面において指を滑らす操作を認識するタッチパネル式の表示装置、表示装置上で指を滑らせた内容と表示している内容とからページめくり操作であることを認識し、そのページめくり操作に従い内蔵している電子目次本のページ画像データ選択し、表示装置に選択された画像データとページをめくる方向に関する信号を送りだす統括処理装置、統括処理装置からのページ画像データとページめくり操作の信号と元々表示していたページ画像データを使い、表示装置上で指を滑らせたページ画像を中心方向に折り曲げながら、その裏面や、他のページの重なり具合の可視不可視の表示について徐々に変更することで冊子のページがめくられる様子をタッチパネルに出力する表示装置とからなることを特徴とするカラオケ用リモコン装置。
【請求項２】
前記カラオケ用リモコン装置において、表示されているカラオケ目次本画面で“楽曲歌い出し”を選択する操作を認識するタッチパネル式の表示装置、表示装置上で“楽曲歌い出し”を選択した操作と表示している内容とから“楽曲歌い出し”操作であることを認識し、内蔵している楽曲歌い出し音声データから該当する音声データを音声出力装置に送りだす統括処理装置、統括処理装置からの音声データを本体に内蔵された指向性スピーカ、または骨伝導方式スピーカから出力する音声出力装置とからなることを特徴とする請求項１に記載のカラオケ用リモコン装置。 
【手続補正２】
【補正対象書類名】明細書
【補正対象項目名】０００１
【補正方法】変更
【補正の内容】
【０００１】
本考案は、通信カラオケ機の楽曲予約で使用するカラオケ用リモコン装置に、従来の電子目次本のイメージ情報の表示機能や選曲操作機能に加え、親和性の高い“めくり”操作による楽曲検索方法と、音声による試聴を可能とする手段を備えたカラオケ用リモコン装置に関する。 
【手続補正３】
【補正対象書類名】明細書
【補正対象項目名】０００６
【補正方法】変更
【補正の内容】
【０００６】
ところで、上記した従来のカラオケ用リモコン装置においては、楽曲の検索の最初の手順で、歌いたい曲名、または歌手名の一部をある程度入力せねばならず、『久し振りにカラオケで歌う人』や『歌が決まっていない人』などで、曲名や歌手名がすぐに思いつかない場合には、楽曲検索に必要な情報の入力に手間取り、楽曲の予約が容易に進まない。これが冊子形状のカラオケ目次本から楽曲を選ぶのであれば、ページをパラパラと適当に開き、開いたところから楽曲を探し始められたりも出来たことを考えると、使い勝手としては良好と言えない面がある。 
【手続補正４】
【補正対象書類名】明細書
【補正対象項目名】０００７
【補正方法】変更
【補正の内容】
【０００７】
そこで本考案では、カラオケ用リモコン装置で選曲を行う際に、『冊子形状のカラオケ目次本のページをパラパラと適当にめくる』と言う、直感的で親和性が高いと思われる方法によって電子目次本での楽曲の絞込みを支援する機能を搭載したカラオケ用リモコン装置を提供することを目的とする。 
【手続補正５】
【補正対象書類名】明細書
【補正対象項目名】００１１
【補正方法】変更
【補正の内容】
【００１１】
本カラオケ用リモコン装置において、“めくり”操作を実現するため冊子形状のカラオケ目次本と同形式のページ画像データを格納する手段、タッチパネル上で本の“めくり”に近い操作を入力と認識して各種の内部処理を行う手段、及び該当するデータをスムーズに表示する手段を実現する。 
【手続補正６】
【補正対象書類名】明細書
【補正対象項目名】００１２
【補正方法】変更
【補正の内容】
【００１２】
また、楽曲歌い出し音声データを本カラオケ用リモコン機に格納し、操作に従い搭載している指向性スピーカ近傍の一定範囲内や、骨伝導方式にて楽曲の歌い出しなどを試聴する手段を実現する。 
【手続補正７】
【補正対象書類名】明細書
【補正対象項目名】００１３
【補正方法】変更
【補正の内容】
【００１３】
なお、新譜を含む“電子目次本のページ画像データ”や“楽曲歌い出し音声データ”は通信カラオケ機のホストサーバーなどにて作成し、各通信カラオケ機に配信する方式とする。カラオケ用リモコン装置は、通常は無線または有線回線にて通信カラオケ機に接続し、自身の内部に格納しているカラオケ目次本データよりも新しいデータが通信カラオケ機に存在するかを定期的にチェックするなどし、新しいデータが存在する場合には該当データをカラオケ用リモコン装置にダウンロードし、データの格納・展開をすることで新譜を含めた最新の“電子目次本のページ画像データ”および“楽曲歌い出し音声データ”の取得が出来ることを実現する。